(57)【特許請求の範囲】
【請求項１】
筒状体（１０）および一つのワイヤ機構（２０）を備え、
前記筒状体（１０）は、胴部（１１）および複数の線形孔（１６）を有し、前記胴部（１１）は軸方向に形成された第一側辺（１３）および第二側辺（１４）を有し、複数の前記線形孔（１６）は前記胴部（１１）の前記第一側辺（１３）および前記第二側辺（１４）を軸方向に沿って貫通し、
前記ワイヤ機構（２０）は、前記筒状体（１０）の前記線形孔（１６）を貫通する一本の連続したワイヤ（２１）を有し、
胴体（１１）の第一側辺（１３）の線形孔（１６）から第二側辺（１４）の線形孔（１６）へ向けて差し込まれたワイヤ（２１）が、続いて第二側辺（１４）の別の隣り合う線形孔（１６）から交互に折り返して第一側辺（１３）の線形孔（１６）へ向けて差し込まれるように交互に折り返して、前記筒状体（１０）において、二つずつの二つの隣り合う前記線形孔（１６）内の前記ワイヤ（２１）は貫通方向が反対であると共に、
前記ワイヤ（２１）の両端が電源に接続されることを特徴とする、
加熱用ローラー。
【請求項２】
前記筒状体（１０）はさらに少なくとも一つの環状溝（１５）を有し、前記環状溝（１５）は前記線形孔（１６）に対応し、前記線形孔（１６）の開口部（１６１）は前記環状溝（１５）の底部辺縁に露出することを特徴とする請求項１に記載の加熱用ローラー。
【請求項３】
前記筒状体（１０）の前記環状溝（１５）は、円環状を呈することを特徴とする請求項２に記載の加熱用ローラー。
【請求項４】
隣り合う二つの線形孔（１６）の中心間には距離（Ｄ１）を有し、前記線形孔（１６）の中心と前記胴部（１１）の外周面（１１１）との間には間隔（Ｄ２）を有し、前記距離（Ｄ１）は間隔（Ｄ２）より大きいか、それに等しいことを特徴とする請求項１に記載の加熱用ローラー。
【請求項５】
前記同じワイヤ（２１）は前記同じ線形孔（１６）を複数回貫通することを特徴とする請求項１に記載の加熱用ローラー。
【請求項６】
複数の前記ワイヤ（２１）は一つの前記線形孔（１６）を貫通することを特徴とする請求項１に記載の加熱用ローラー。
【請求項７】
前記筒状体（１０）は二つまたはそれ以上のユニットが結合することによって構成されることを特徴とする請求項１に記載の加熱用ローラー。
【請求項８】
複数の前記筒状体（１０）にそれぞれ一つずつの前記ワイヤ機構（２０）を配置することを特徴とする請求項７に記載の加熱用ローラー。
【請求項９】
一つの前記ワイヤ機構（２０）は複数の前記筒状体（１０）を貫通するように配置されることを特徴とする請求項７に記載の加熱用ローラー。
【発明の詳細な説明】
【技術分野】
【０００１】
本発明は、ローラー、特に加熱用ローラーに関するものである。
【背景技術】
【０００２】
従来の加熱用ローラーは渦巻きコイルの装着に用いる中空の格納孔が必要であるため、加工および装着の際に不便な点がある。一方、渦巻きコイルの配置による加熱方式は加熱が均一でなく、加熱速度が遅いだけでなく、加熱効率を改善する必要がある。
【０００３】
従来の加熱用ローラーは上述した欠点を抱えるため、改善の余地がある。
【発明の概要】
【発明が解決しようとする課題】
【０００４】
本発明は、上述した欠点に鑑み、製作および構造を簡単化し、加熱効率を向上させることができる加熱用ローラーを提供することを主な目的とする。
【課題を解決するための手段】
【０００５】
上述した課題を解決するための、加熱用ローラーは筒状体および一つのワイヤ機構を備える。筒状体は胴部および複数の線形孔を有する。胴部は軸方向に形成された第一側辺および第二側辺を有する。複数の線形孔は胴部の第一側辺および第二側辺を軸方向に沿って貫通する。ワイヤ機構は筒状体の線形孔を貫通するワイヤを有する。筒状体において、二つずつの二つの隣り合う線形孔内のワイヤは貫通方向が反対であり、電源に接続される。
【０００６】
上述した課題を解決するための、加熱用ローラーは筒状体および二つのワイヤ機構を備える。筒状体は胴部および複数の線形孔を有する。胴部は軸方向に形成された第一側辺および第二側辺を有する。複数の線形孔は胴部の第一側辺および第二側辺を軸方向に沿って貫通する。二つのワイヤ機構はそれぞれ筒状体の線形孔を貫通する複数のワイヤを有する。一つのワイヤ機構のワイヤは第一側辺の正極電源および第二側辺の負極電源に接続される。別の一つのワイヤ機構のワイヤは第一側辺の負極電源および第二側辺の正極電源に接続される。
【０００７】
上述したとおり、加熱用ローラーは導線が間隔を置いて線形孔を貫通する方向が反対であり、二つずつのワイヤの間に加熱を渦巻き状に行うため、加熱効率を向上させることができる。
【０００８】
比較的好ましい場合、筒状体はさらに少なくとも一つの環状溝を有する。環状溝は線形孔に対応する。線形孔の開口部は環状溝の底部辺縁に露出する。
【０００９】
比較的好ましい場合、筒状体の環状溝は、円環状を呈する。
【００１０】
比較的好ましい場合、二つずつの二つの隣り合う線形孔は中央から形成された距離を有する。線形孔は中心と胴部の外周面との間に間隔を有する。距離は間隔より大きいか、それに等しい。
【００１１】
比較的好ましい場合、複数のワイヤは一つの線形孔を貫通する。
【００１２】
比較的好ましい場合、同じワイヤは同じ線形孔を複数回貫通する。
【００１３】
比較的好ましい場合、筒状体は二つまたはそれ以上のユニットが結合することによって構成される。
【００１４】
比較的好ましい場合、複数の筒状体にそれぞれ一つずつのワイヤ機構を配置する。
【００１５】
比較的好ましい場合、一つのワイヤ機構は複数の筒状体を貫通するように配置される。
【００１６】
本発明による加熱用ローラーの詳細な構造および特徴を、以下の実施形態の詳細な説明を通して明確にする。
なお、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００１７】
【図１】本発明の第１実施形態による加熱用ローラーを示す斜視図である。
【図２】本発明の第１実施形態による加熱用ローラーを示す正面図である。
【図３】本発明の第１実施形態による加熱用ローラーの一端を示す側面図である。
【図４】本発明の第１実施形態による加熱用ローラーの他端を示す側面図である。
【図５】本発明の第２実施形態による加熱用ローラーの一端を示す側面図である。
【図６】本発明の第２実施形態による加熱用ローラーの他端を示す側面図である。
【発明を実施するための形態】
【００１８】
以下、本発明による加熱用ローラーを図面に基づいて説明する。なお、明細書において、内、外、上、下などの方向性用語は図面に示した方向に基づいて表現される。
【００１９】
（第１実施形態）
図１から図４に示すように、本発明の第１実施形態による加熱用ローラーは、筒状体１０および一つのワイヤ機構２０を備える。
【００２０】
筒状体１０は胴部１１、二つの環状溝１５および複数の線形孔１６を有する。胴部１１は軸方向に形成された第一側辺１３および第二側辺１４を有する。
【００２１】
二つの環状溝１５は、第一側辺１３および第二側辺１４に別々に円環状に配置される。
【００２２】
複数の線形孔１６は、環状に配置され、かつ胴部１１の第一側辺１３および第二側辺１４を軸方向に沿って貫通する。
【００２３】
複数の線形孔１６は、環状溝１５を貫通する開口部１６１を有する。開口部１６１は環状溝１５の底部辺縁に露出する。
【００２４】
言い換えれば、筒状体１０の二つの環状溝１５はそれぞれの線形孔１６に対応する。
【００２５】
二つずつの二つの隣り合う線形孔１６は中央から形成された距離Ｄ１を有する。線形孔１６は中心と胴部１１の外周面１１１との間に間隔Ｄ２を有する。距離Ｄ１は間隔Ｄ２より大きいか、それに等しい。
【００２６】
ワイヤ機構２０は、筒状体１０の線形孔１６を貫通するワイヤ２１を有する。ワイヤ２１は胴体１１の第一側辺１３から差し込まれ、第二側辺１４を通り、続いて第二側辺１４の別の隣り合う線形孔１６から差し込まれ、ワイヤ２１の線形孔１６の順によってすべての線形孔１６を持続的に貫通する。貫通の順は隣り合う順に限定されない。
【００２７】
本実施形態において、筒状体１０の線形孔１６は数が偶数であり、ワイヤ２１が間隔を置いて線形孔を貫通する方向は反対であるため、ワイヤ２１は同じ側から突出し、両端が電源に接続される。
【００２８】
複数のワイヤ２１は一つの線形孔１６を貫通する。或いは、一つのワイヤ２１は同じ線形孔１６を複数回貫通する。
【００２９】
上述したとおり、本発明による加熱用ローラーは導線２１が間隔を置いて線形孔１６を貫通する方向が反対であり、二つずつのワイヤ２１の間に加熱を渦巻き状に行うため、加熱効率を向上させることができる。
【００３０】
一方、本発明は構造上の距離を容易に調整できるため、加熱効果は異なるニーズに対応できる。
【００３１】
（第２実施形態）
図５および図６に示したのは本発明の第２実施形態による加熱用ローラーである。第１実施形態との違いは次のとおりである。
【００３２】
第２実施形態は、二つのワイヤ機構２０を採用する。ワイヤ機構２０はそれぞれ筒状体１０の線形孔１６を貫通する複数のワイヤ２１を有する。同じワイヤ機構２０の複数のワイヤ２１は胴体１１の第一側辺１３および第二側辺１４のそれぞれの端部に位置し、かつそれぞれの並列状接続部２２に接続される。
【００３３】
一つのワイヤ機構２０は、胴体１１の第一側辺１３および第二側辺１４の二つの並列状接続部２２に据えられ、正極電源および第二側辺の負極電源に別々に接続される。別の一つのワイヤ機構２０は胴体１１の第一側辺１３および第二側辺１４の二つの並列状接続部２２Ａに据えられ、負極電源および正極電源に別々に接続される。二つのワイヤ機構２０はワイヤ２１の電流方向が反対である。
【００３４】
上述したとおり、第２実施形態による加熱用ローラーは二つずつの導線２１が間隔を置いて線形孔１６を貫通する方向が反対であり、二つずつのワイヤ２１の間に加熱を渦巻き状に行うため、同様に加熱効率を向上させることができる。
【００３５】
本発明は上述した実施形態のほかに、下記の実施形態を採用できる。
【００３６】
複数のワイヤ２１は一つの線形孔１６を貫通する。
【００３７】
単一のユニットで筒状体１０を構成する上述の実施形態に対し、筒状体１０は二つまたはそれ以上のユニットが結合することによって構成される。
【００３８】
複数の筒状体２０にそれぞれ一つずつのワイヤ機構２０を配置できる。つまり、それぞれの筒状体１０に同じまたは異なるワイヤ機構２０を配置することによって異なる加熱効果を生じることができる。
【００３９】
一つのワイヤ機構２０を複数の筒状体１０に配置できる。
【００４０】
上述した任意の実施形態は、単一または複数の組み合わせによって本発明の目的を達成できる。
【００４１】
上述したとおり、本発明による加熱用ローラーは、製作および構造を簡単化し、加熱効果を向上させ、本発明の目的を達成することができる。
【符号の説明】
【００４２】
１０  筒状体  
１１  胴部  
１１１  外周面
１３  第一側辺  
１４  第二側辺  
１５  環状溝  
１６  線状孔  
１６１  開口部  
２０  ワイヤ機構  
２１  ワイヤ  
２２、２２Ａ  並列状接続部  
Ｄ１  距離  
Ｄ２  間隔
【図１】
0006355270.tif 000002
【図２】
0006355270.tif 000003
【図３】
0006355270.tif 000004
【図４】
0006355270.tif 000005
【図５】
0006355270.tif 000006
【図６】
0006355270.tif 000007